(57)【特許請求の範囲】
【請求項１】
筐体状に形成された操作卓本体の天板上に、情報などを表示する表示手段と、操作キーなどが設けられた操作部を設置した操作卓であって、
前記操作卓本体の上部側面に、外側より取外し自在な取付け手段を介して側板を着脱自在に取付け、
前記取付け手段を、上部に前記操作卓本体のフレームに形成された係止孔に係止自在なほぼ逆Ｖ字状の係止部を、また下部に取付け部を有し、かつ前記側板に固着された取付け部材と、前記フレームに固着され、かつ下部に前記取付け部材の取付け部を固着する連結部材とより構成してなる操作卓の側板取付け装置。
【請求項２】
前記取付け部材の取付け部を、前記側板の下面に沿って屈曲すると共に、前記連結部材の取付け部を、前記取付け部材の下面に沿って屈曲し、かつ前記取付け部間を固着具により固着してなる請求項１記載の操作卓の側板取付け装置。
【請求項３】
筐体状に形成された操作卓本体の天板上に、情報などを表示する表示手段と、操作キーなどが設けられた操作部を設置した操作卓であって、
前記操作卓本体の上部側面に、外側より取外し自在な取付け手段を介して側板を着脱自在に取付け、
前記取付け手段を、上部に前記操作卓本体のフレームに形成された係止孔に係止自在なほぼ逆Ｖ字状の係止部を、また下部に前記フレームに固着具により固定する取付け部を有し、かつ前記側板に固着された取付け部材により構成してなる請求項１記載の操作卓の側板取付け装置。
【発明の詳細な説明】
【０００１】
【発明の属する技術分野】
本発明は市町村などの防災システム等に使用する各種操作卓の側板取付け装置に関する。
【０００２】
【従来の技術】
従来この種の操作卓は図１０に示すように、上部に天板ａを、また下部に脚部ｂを有する操作卓本体ｃの前記天板ａ上に、モニタなどの表示手段ｄおよび操作部ｅが設置された構造で、天板ａの両側に側板ｆが取付けられている。
【０００３】
前記側板ｆは図１１及び図１２に示すように、操作卓ｃの前後方向の幅とほぼ同じ長さの細長い木製の板体により形成されていて、操作卓ｃと対向する面に、前後方向に間隔を存して一対の凹部ｇが形成されており、これら凹部ｇには木ネジなどの固着具ｈによりほぼＬ字形をなす連結部材ｉの垂直部ｊが固着されており、各連結部材ｉの水平部は操作卓本体ｃのフレームｋ上部に形成された取付け片ｍにビスなどの固着具ｎにより固着されている。
【０００４】
【発明が解決しようとする課題】
しかし前記従来の操作卓では、フレームｋの内側に突設した取付け片ｍに、側板ｆに予め固着した連結部材ｉを固着具ｎにより固着した後、フレームｋの上部に天板ａを取付けた構造となっているため、操作卓本体ｃより側板ｆを取外して複数の操作卓本体ｃを互に連結することができず、操作卓の増設が困難であるなどの問題がある。
【０００５】
また側板ｆを組立てる場合、一方の手で側板ｆを保持しながら、他方の手で工具を持って連化粒材ｉを操作卓本体ｃのフレームｋに取付けなければならないことから、組立て時の操作性が悪いと共に、操作卓本体ｃを移動する場合側板ｆを保持すると、操作卓本体ｃの荷重が連結部材ｉと側板ｆを固定している木ネジなどの固着具ｈに加わるため、固着具ｈが弛んで操作卓本体ｃと側板ｆの間に隙間が発生したり、側板ｆが脱落するなどの問題もあった。
【０００６】
本発明はかかる従来の問題点を改善するためになされたもので、操作卓本体に対して側板の取付け及び取外しが簡単に行え、また操作卓本体を移動する際側板を保持しても、操作卓本体と側板の間に隙間が発生したり、側板が脱落する心配もない操作卓の側板取付け装置を提供することを目的とするものである。
【０００７】
【課題を解決するための手段】
前記目的を達成するため本発明の操作卓の側板取付け装置は、筐体状に形成された操作卓本体の天板上に、情報などを表示する表示手段と、操作キーなどが設けられた操作部を設置した操作卓であって、操作卓本体の上部側面に、外側より取外し自在な取付け手段を介して側板を着脱自在に取付け、前記取付け手段を、上部に前記操作卓本体のフレームに形成された係止孔に係止自在なほぼ逆Ｖ字状の係止部を、また下部に取付け部を有し、かつ前記側板に固着された取付け部材と、前記フレームに固着され、かつ下部に前記取付け部材の取付け部を固着する連結部材とより構成したものである。
【００１０】
前記構成により、取付け部材の係止部をフレームの係止孔に係止させた状態で操作卓本体に側板を取付けることができるため、組立て時側板を手で保持する必要がなく、これによって組立て時の作業性が格段に向上すると共に、操作卓を移動する際側板を保持しても、操作卓本体の荷重は連結部材に加わって、取付け部材を側板に固着している固着具に荷重が直接加わることがないので、固着具が弛んで操作卓本体と側板の間に隙間が生じたり、側板が脱落するなどの問題を解消することができる。
【００１１】
前記目的を達成するため本発明の操作卓の側板取付け装置は、取付け部材の取付け部を、側板の下面に沿って屈曲すると共に、連結部材の取付け部を、取付け部材の下面に沿って屈曲し、かつ取付け部間を固着具により固着したものである。
【００１２】
前記構成により、固着具を締め付けると、逆Ｖ字状の係止部が弾性的に拡開して、その際の反力により取付け部材が連結部材に圧接されるため、操作卓本体に対して側板を隙間なく取付けることができるようになり、これによって操作卓の外観を向上させることができる。
【００１３】
前記目的を達成するため本発明の操作卓の側板取付け装置は、取付け手段を、上部に操作卓本体のフレームに形成された係止孔に係止自在なほぼ逆Ｖ字状の係止部を、また下部に前記フレームに固着具により固定する取付け部を有し、かつ側板に固着された取付け部材により構成したものである。
【００１４】
前記構成により、取付け部材の係止部をフレームの係止孔に係止させた状態で操作卓本体に側板を取付けることができるため、組立て時側板を手で保持する必要がなく、これによって組立て時の作業性が格段に向上すると共に、連結部材が省略できるので、側板取付け装置を安価に提供することができる。
【００１７】
【発明の実施の形態】
本発明の実施の形態を図１ないし図７に示す図面を参照して詳述する。
【００１８】
図１は単体の操作卓を示す斜視図、図２は複数の操作卓を連結した状態の斜視図である。
【００１９】
操作卓を構成する操作卓本体１は、上部に天板２が、また下部に脚部３が設けられた筐体状となっていて、金属により形成されたフレーム１ａを有しており、フレーム１ａの上部両側に、発泡樹脂やゴムなどの弾性を有する材料により成形された側板４が取付けられていると共に、天板２上には、タッチパネルよりなる表示手段１２及び図示しない操作キーなどの設けられた操作部１３が設置されている。
【００２０】
側板４は図３及び図４に示すように、操作卓本体１の前後方向の幅とほぼ同じ長さの細長い板体により形成されていて、フレーム１と対向する面には、上辺と前後辺を除くほぼ全面に凹部４ａが形成されている。
【００２１】
凹部４ａは、側板４をフレーム１ａに取付ける取付け手段５を構成する取付け部材６と連結部材７の板厚を加えた厚さとほぼ同じ深さとなっていて、取付け手段５により側板４をフレーム１ａに取付けた際、操作卓本体１と側板４の間に隙間が発生しないようになっている。
【００２２】
取付け部材６は図３に示すように縦方向に長い例えば一対の金属板により形成されていて、上下にに離間して複数の取付け孔６ａが開口されており、これら取付け孔６ａに挿入した木ねじなどの固着具８を側板４の凹部４ａに螺挿することにより、側板４の凹部４ａ内に前後に離間して固着されている。
【００２３】
また取付け部材６の上部には、フレーム１ａ側へ例えば３０゜の角度で屈曲されたほぼ逆Ｖ字状の係止部６ｂが形成されていて、これら係止部６ｂをフレーム１ａに開口された係止孔１ｂに係止することにより、側板４の上部側をフレーム１ａに固定するようになっているとともに、取付け部材６ａの下部には、側板４の下面に沿ってほぼ直角に屈曲された取付け部６ｃが形成されていて、この取付け部６ｃにはねじ孔６ｄが、そしてねじ孔６ｄと合致する側板４の下面には、ねじ孔６ｄに螺挿されたビスなどの固着具９の先端が側板４と干渉しないよう逃し凹部４ｂが形成されている。
【００２４】
一方連結部材７は図３に示すように側板４の長さよりやや短い金属アングル材より形成されていて、垂直部７ａに複数の取付け孔７ｂが開口されており、これら取付け孔７ｂに挿入したビスなどの固着具１０を、フレーム１ａに形成されたねじ孔１ｃに螺挿することにより、フレーム１ａの側面に強固に固着されている。
【００２５】
また連結部材７の垂直部７ａ及びフレーム１ａには、側板４に取付け部材６を固着している固着具８の頭部８ａと合致する位置に逃し孔７ｃ，１ｄが開口されていて、フレーム１ａに側板４を取付けた際、頭部８ａが連結部材７及びフレーム１ａと干渉しないようになっている。
【００２６】
そして連結部材７の下部に形成された水平な取付け部７ｄは、側板４に形成された取付け部材６の取付け部６ｃ下面に密着するようになっていて、取付け部６ｃに形成されたねじ孔６ｄと合致する位置に取付け孔７ｅが開口されている。
【００２７】
次に前記構成された側板取付け装置の組立て時の作用を図５ないし図７に示す図面を参照して説明する。
【００２８】
操作卓本体１の両側上部に側板４を取付けるに当っては、予め側板４に取付け部材６を、また操作卓本体１のフレーム１ａ側面に連結部材７を取付けておく。
【００２９】
次に側板４を操作卓本体１のフレーム１ａ側方に図５に示すように位置させたら、取付け部材６の係止部６ｂをフレーム１ａの係止孔１ｂに挿入し、この。状態で側板４を押し下げる。
【００３０】
これによって予め約３０゜に屈曲された係止部６ｂが係止孔１ｂのエッジ１ｅにガイドされて、取付け部材６をフレーム１ａ側へ引き寄せるので、取付け部材６は図６に示すように、フレーム１ａに予め固着された連結部材７に当接される。
【００３１】
このとき取付け部材６の下部に形成された取付け部６ｃと、連結部材７の下部に形成された取付け部７ｄとの間には、例えば２．５mm程度の隙間Ｄが生じている。
【００３２】
次にこの状態で連結部材７の取付け部７ｄに開口された取付け孔７ｅより挿入した固着具９を、取付け部材６の取付け部６ｃに形成されたねじ孔６ｄに螺挿して締め付ける。
【００３３】
これによって取付け部材６が引き下げられるため、取付け部材６に係止部６ｂは、連結部材７の上縁に突き上げられて、図７に示すように例えば４５゜程度に拡開されると共に、取付け部材６の取付け部６ｃと連結部材７の取付け部７ｄが互に密着され、同時に係止部６ｂに生じる弾性反力により取付け部材６が連結部材７に圧着されるため、操作卓本体１に対して側板４を隙間なく、かつ強固に取付けることができるようになる。
【００３４】
また操作卓を移動する際側板４を持ち上げると、操作卓本体１の荷重を操作卓本体１のフレーム１ａに強固に固着された連結部材７が担持して、側板４に取付け部材６を固着している固着具８に操作卓本体１の荷重が直接加わることがないので、固着具８が弛んで操作卓本体１と側板４の間に隙間が生じたり、側板４が脱落する心配もない。
【００３５】
一方操作卓を増設する場合は、操作卓本体１を連結する側の側板４及び連結部材７を取外す。
【００３６】
側板４を取外すに当っては、まず取付け部材６を連結部材７に取付けている固着具９を側板４の下方より取外したら、側板４を持ち上げて取付け部材６の係止部６ｃをフレーム１ａの係止孔１ｂより外し、側板４を取り去る。
【００３７】
次に連結部材７をフレーム１aに取付けている固着具９を取外して、フレーム１ａより連結部材７を取外したら、側板４を取外した側に増設用の操作卓本体１を図２に示すように連結するもので、操作卓本体１より側板４が簡単に取外せるため、操作卓の増設も容易に行えるようになる。
【００３８】
なお前記実施の形態では、操作卓本体１のフレーム１ａに固着した連結部材７に側板４に固着した取付け部材６を取付けるようにしたが、図８及び図９に示す変形例のように側板４に固着した取付け部材６を直接フレーム１ａに取付けるようにして、連結部材７を省略してもよい。
【００３９】
すなわち取付け部材６の下部に形成された取付け部６ｅをフレーム１ａの側面に沿って下方に延出させ、かつこの取付け部６ｅに取付け孔６ｆを開口する。
【００４０】
また側板４に固着された取付け部材６の係止部６ｂをフレーム１ａの係止孔１ｂに係止した際、取付け部６ｅの取付け孔６ｆと合致する位置のフレーム１ａにねじ孔１ｆを形成して、このねじ孔１ｆに取付け孔６ｆより挿入したビスなどの固着具９を螺挿することにより、フレーム１ａに対して側板４を取付けるようにしたもので、操作卓を移動する際側板４を持ち上げても、操作卓本体１の荷重が取付け部６ｅを固定している固着具９を介してフレーム１ａにより担持されるため、側板４に取付け部材６を固着している固着具８に操作卓本体１の荷重が直接加わることがなく、これによって前記実施の形態と同様に、固着具８が弛んで操作卓本体１と側板４の間に隙間が生じたり、側板４が脱落するのを未然に防止することができる。
【００４１】
【発明の効果】
本発明は以上詳述したように、操作卓本体の上部側面に、外側より取外し自在な取付け手段を介して側板を着脱自在に取付けことから、取付け手段により操作卓本体の上部側面に側板が簡単に取付けられると共に、側板の取外しも外部より簡単に行えるため、操作卓本体より側板を取外して増設用の操作卓本体を連結することにより、操作卓の増設が簡単に行えるようになり、これによって各種システムの規模に応じたサイズの操作卓が容易に得られるようになる。
【００４２】
また取付け手段を、上部に操作卓本体のフレームに形成された係止孔に係止自在なほぼ逆Ｖ字状の係止部を、また下部に取付け部を有し、かつ側板に固着された取付け部材と、フレームに固着され、かつ下部に取付け部材の取付け部を固着する連結部材とより構成したことから、取付け部材の係止部をフレームの係止孔に係止させた状態で操作卓本体に側板を取付けることができるため、組立て時側板を手で保持する必要がなく、これによって組立て時の作業性が格段に向上すると共に、操作卓を移動する際側板を保持しても、操作卓本体の荷重は連結部材に加わって、取付け部材を側板に固着している固着具に荷重が直接加わることがないので、固着具が弛んで操作卓本体と側板の間に隙間が生じたり、側板が脱落するなどの問題を解消することができる。
【００４３】
さらに取付け部材の取付け部を、側板の下面に沿って屈曲すると共に、連結部材の取付け部を、取付け部材の下面に沿って屈曲し、かつ取付け部間を固着具により固着したことから、固着具を締め付けると、逆Ｖ字状の係止部が弾性的に拡開して、その際の反力により取付け部材が連結部材に圧接されるため、操作卓本体に対して側板を隙間なく取付けることができるようになり、これによって操作卓の外観を向上させることができる。
【００４４】
しかも取付け手段を、上部に操作卓本体のフレームに形成された係止孔に係止自在なほぼ逆Ｖ字状の係止部を、また下部に前記フレームに固着具により固定する取付け部を有し、かつ側板に固着された取付け部材により構成すれば、連結部材が省略できるので、側板取付け装置を安価に提供することができると共に、側板を、発泡樹脂やゴムなどの弾性を有する材料により形成すれば、側板に外部より衝撃が作用しても、側板がこれを吸収緩和するため、衝撃によって操作卓本体内の電子機器などが破損したり、故障するのを未然に防止することができる。
【図面の簡単な説明】
【図１】本発明の実施の形態になる側板取付け装置を使用した操作卓の斜視図
【図２】本発明の実施の形態になる側板取付け装置を使用した操作卓を連結した状態の斜視図
【図３】本発明の実施の形態になる操作卓の側板取付け装置を示す分解斜視図
【図４】本発明の実施の形態になる操作卓の側板取付け装置を示す断面図
【図５】本発明の実施の形態になる操作卓の側板取付け装置の組立て時の作用説明図
【図６】本発明の実施の形態になる操作卓の側板取付け装置の組立て時の作用説明図
【図７】本発明の実施の形態になる操作卓の側板取付け装置の組立て時の作用説明図
【図８】本発明の実施の形態になる操作卓の側板取付け装置の変形例を示す分解斜視図
【図９】本発明の実施の形態になる操作卓の側板取付け装置の変形例を示す断面図
【図１０】従来の側板取付け装置を使用した操作卓の斜視図
【図１１】従来の操作卓の側板取付け装置を示す分解斜視図
【図１２】従来の操作卓の側板取付け装置を示す断面図
【符号の説明】
１    操作卓本体
１ａ  フレーム
１ｂ  係止孔
２    天板
４    側板
５    取付け手段
６    取付け部材
６ｂ  係止部
６ｃ  取付け部
７    連結部材
７ｄ  取付け部
７ｅ  取付け孔
８，９，１０  固着具
１２  表示手段
１３  操作部
【図１】
0004479056.tif 000002
【図２】
0004479056.tif 000003
【図３】
0004479056.tif 000004
【図４】
0004479056.tif 000005
【図５】
0004479056.tif 000006
【図６】
0004479056.tif 000007
【図７】
0004479056.tif 000008
【図８】
0004479056.tif 000009
【図９】
0004479056.tif 000010
【図１０】
0004479056.tif 000011
【図１１】
0004479056.tif 000012
【図１２】
0004479056.tif 000013